(57)【要約】【課題】菓子ケーキ類等の食品や花ギフト等の雑貨を収容する紙箱において、限られた展示スペースを有効活用し、収容された食品をより広く顧客にアピールするように展示することを目的とし、紙箱内に保持された保冷体等が収容された食品を傷つけることの無いような保持部の形成を目的とする。【解決手段】  菓子ケーキ類等の食品や花ギフト等の雑貨を収容する紙箱において、四角形状に形成した底面部１１の周囲の辺より前面部１２と後面部１３と側面部１４とを立ち上げた本体と、四角形状に形成した上面部３１の周囲の辺より前面部３２と側面部３３とを立ち下げた蓋体とを備え、該蓋体の後部と本体の後部、及び、蓋体の前部及び本体の前部にそれぞれ係合部を構成することにより設けた。【選択図】図４
2007223623.tif 000002
【特許請求の範囲】
【請求項１】
菓子ケーキ類等の食品や花ギフト等の雑貨を収容する紙箱において、四角形状に形成した底面部１１の周囲の辺より前面部１２と後面部１３と側面部１４とを立ち上げた本体と、四角形状に形成した上面部３１の周囲の辺より前面部３２と側面部３３とを立ち下げた蓋体とを備え、該蓋体の後部と本体の後部、及び、蓋体の前部及び本体の前部にそれぞれ係合部を構成したことを特徴とする紙箱。
【請求項２】
前記本体の前面部を後面部よりも低く形成し、本体の側面部の上辺を、前方に向かって徐々に下降する形状としたことを特徴とする請求項１に記載の紙箱。
【請求項３】
前記本体の後面部上に舌片を形成し、該舌片に表示可能領域を形成したことを特徴とする請求項１、または請求項２に記載の紙箱。
【請求項４】
前記蓋体の上面部の内側面に保持部を形成し、該保持部の後係合部側に開放部を形成したことを特徴とする請求項１に記載の紙箱。
【発明の詳細な説明】
【技術分野】
【０００１】
本発明は、菓子ケーキ類等の食品や花ギフト等の雑貨を収容する紙箱に関し、本体と蓋体とを分離可能とし、本体の前面部を後面部よりも低く形成し、側面部を前面部と後面部の高さに合わせて前方に向かうにつれて徐々に下るような形状に形成することによって、限られた展示スペースを有効活用し、収容された食品をより顧客にアピールし、本体と蓋体との係合により保持部を閉封可能として、紙箱内に保冷体等が飛び出して食品を傷つけることなく、食品の運搬を可能とする紙箱に関する。
【背景技術】
【０００２】
菓子ケーキ類等の食品や花ギフト等の雑貨を収容する紙箱は、店頭に展示されることが多いが、展示スペースは狭い場合が多いため、限られたスペースで展示効果を有することが望まれている。
また、顧客が店頭に展示された食品を見て、食品の購入を判断することから、紙箱に収容された食品がより顧客に見易く、より広い部分が顧客に視認可能となるように展示されることが望まれている。
また、菓子ケーキ類等の食品や花ギフト等の雑貨は、低温で保つことを要するため、紙箱内に保冷体等を保持することが必要とされる。
これらの課題には、これまでも関連する発明が提案されている（特許文献１、２、３参照）。
【特許文献１】特開２００５−１３２４７１号公報
【特許文献２】特開２００５−２０００２３号公報
【特許文献３】特開２００５−１８６９８２号公報
【発明の開示】
【発明が解決しようとする課題】
【０００３】
しかし、特許文献１が提案する紙箱では、紙箱内に設けられた保持部が筒状に形成されているものであるが、紙箱を開閉する際や、紙箱を運搬する際に生じるの震動によって、保冷体等が紙箱内に飛び出す可能性があり、保冷体等が飛び出した場合収容されている食品を傷つける可能性がある。
また、特許文献１、特許文献２が提案する紙箱は、紙箱本体に蓋部が連接されているため、本体と蓋部とを分離することはできず、蓋を開けた状態で展示すると、限られた展示スペースにおいて蓋部が広く占めることになり、展示スペースの有効活用を阻むものであった。
さらに、特許文献３が提案する紙箱は、側面部を逆台形状に形成することで、上面を広く開放可能とし収容された食品を広く顧客にアピールするものであるが、この紙箱においても、蓋を開けた状態での展示を余儀なくされるものであるため、展示スペースの有効活用の面から問題が残るものであった。
【０００４】
そこで、本発明においては従来の課題を解決するものであり、限られた展示スペースを有効活用し、収容された食品をより広く顧客にアピールするように展示することを目的とし、紙箱内に保持された保冷体等が収容された食品を傷つけることの無いような保持部の形成を目的とする。
【課題を解決するための手段】
【０００５】
本発明の解決しようとする課題は以上の如くであり、次にこの課題を解決するための手段を説明する。
【０００６】
請求項１においては、菓子ケーキ類等の食品や花ギフト等の雑貨を収容する紙箱において、四角形状に形成した底面部の周囲の辺より前面部と後面部と側面部とを立ち上げた本体と、四角形状に形成した上面部の周囲の辺より前面部と側面部とを立ち下げた蓋体とを備え、該蓋体の後部と本体の後部、及び、蓋体の前部及び本体の前部にそれぞれ係合部を構成したものである。
【０００７】
請求項２においては、前記本体の前面部を後面部よりも低く形成し、本体の側面部の上辺を、前方に向かって徐々に下降する形状としたものである。
【０００８】
請求項３においては、前記本体の後面部上に舌片を形成し、該舌片に表示可能領域を形成したものである。
【０００９】
請求項４においては、前記蓋体の上面部の内側面に保持部を形成し、該保持部の後係合部側に開放部を形成したものである。
【発明の効果】
【００１０】
本発明の効果として、以下に示すような効果を奏する。
【００１１】
請求項１においては、容易に組み立てられるとともに、容易に蓋体を開けて分離することができる。つまり、本体と蓋体とを分離可能にすることによって、蓋体を外した状態で展示することが可能になり、限られた展示スペースを蓋体に阻まれること無く、展示スペースの有効活用を図ることができる。
【００１２】
請求項２においては、本体の前面部を後面部よりも低く形成し、側面部を前面部と後面部との高さに合わせるように前方に向かうにつれて徐々に下降するような形状に形成することによって、本体の上面及び側面を広く開放可能とし、紙箱に収容された食品の前面部及び側面部をより広く顧客にアピールするように展示することが可能となる。
【００１３】
請求項３においては、舌辺に広告や商品説明等を記すことが可能となり、ディスプレイ効果を持たせることができ、展示空間を有効に利用することができる。
【００１４】
請求項４においては、前記蓋体の上面部の内側面に保持部を形成し、該保持部の後係合部側に開放部を形成することによって、本体と蓋体の契合と同時に保持部を閉封することができ、容易かつ完全に保冷体等を保持することが可能となり、運搬時の震動によって紙箱内に飛び出した保冷体等が、収容された食品を傷つけることを防ぐことが可能となる。
【発明を実施するための最良の形態】
【００１５】
次に、発明の実施の形態を説明する。
図１は本発明の一実施例に係る紙箱１の全体的な構成を示した斜視図、図２は本体２の展開図、図３は蓋体３の展開図、図４、図５、図６は本体２と蓋体３とを係合する図、図７は紙箱１の断面図、図８は本体２に菓子を収容した図、図９は前面部と後面部が同じ高さである紙箱の展示状態の一実施例を示す図である。
【００１６】
本発明に係る紙箱は、紙箱に収容された食品を、上面部分だけではなく側面部分をも視認することを可能にし、本体と蓋体を係合させることによって容易かつ完全に保冷体等を保持することを可能にし、展示効果の面においても保持部の構造の面においても、優れた効果を有する紙箱を提供するものである。
【００１７】
紙箱１は、平厚紙又はダンボール紙よりなる本体２と蓋体３とを係合させることによって形成されるものであり、四角形状に形成した底面部１１の周囲の辺より前面部１２と後面部１３と側面部１４・１４とを立ち上げた本体２と、四角形状に形成した上面部３１の周囲の辺より前面部３２と側面部３３・３３とを立ち下げた蓋体３とを備え、該蓋体３の後部と本体２の後部、及び、蓋体３の前部及び本体の前部にそれぞれ係合部を構成している。
【００１８】
本体２は図２に示すように、四角形状の底面部１１、該底面部１１の一辺を構成する折目線４１を介して連続的に設けられた前面部１２、同じく底面部１１に折目線４２を介して連続的に設けられた後面部１３、同じく底面部１１に折目線４３・４３を介して連続的に設けられた側面部１４・１４から上方を開放した略箱状に構成されている。前記後面部１３には更に側部の折目線４４・４４を介してフリット１５と、他側の折目線４５を介して舌片１６が連続的に設けられている。
【００１９】
前記本体２の後面部１３上（組立時）に舌片１６を形成し、該舌片１６に表示可能領域を形成している。そして、後面部１３と舌片１６の間に係合部を形成しており、前記舌片１６の折目線４５の左右中央部には係合孔２４が設けられており、後述する蓋体３の係合片４２を挿入して係合可能としている。そして、該舌片１６は略三日月状に形成され、図８に示すように、正面側から見て食品の上方に位置した部分に、印刷や貼付や描く等ができる表示領域を形成して、ディスプレイ効果を持たせている。即ち、舌片１６は食品や製造者等の名前やイラストや装飾した絵や広告や商品説明等を印刷やペン等で描くためのスペースとしており、本体２の正面上部に位置して、展示スペースに配置したときに最もよく見える位置となり、視認効果を高めるようにしている。なお、舌片１６の形状は限定するものではなく、多角形としたり、キャラクターの形状としたり、動物や乗り物等の形状とすることが可能である。
【００２０】
前記フリット１５の先端（組み立てた状態での下辺前端）には係合片２１が設けられており、フリット１５を折目線４４に沿って折り曲げ、更に、後面部１３を折目線４２に沿って折り曲げて組み立てた時に、前記折目線４３の前後中途部上に設けた係合孔２２に前記係合片２１を挿入して係合可能としている。側面部１４の前部には折目線４６を介して差し込み片１７が設けられ、前面部１２の左右両側には、折目線４７を介して折込み片１８・１８が連続的に設けられている。前面部１２の前方には、折目線４８を介して折込み片１９が連続的に設けらており、前面部１２の左右中央部には係合孔２３が設けられている。
【００２１】
本体２は、後面部１３を立ち上げ、フリット１５を折目線４４に沿って、本体２の内側に向かって山折りし、係合片２１を係合孔２２に係合することによって、後面部１３の立設維持を可能としている。また、折込み片１８を折目線４７に沿って内側に向かって山折りした後、折込み片１９を折目線４８に沿って、本体２の内側に向かって山折りし、折込み片１９の内側と前面部１２の内側とを接着剤等で貼着する。そして、側面部１４を折目線４３に沿って折り曲げて立ち上げ、側面部１４の内側後部とフリット１５の外側後部とを、接着剤等で貼着するとともに、前面部１２を折目線４１に沿って折り曲げて、前記両側の折込み片１８と折込み片１９の間に、折目線４６に沿って折り曲げた差し込み片１７を差し込むことにより、側面部１４と前面部１２の立設維持を可能としている。
【００２２】
底面部１１、前面部１２、後面部１３は四角形状に形成されており、本体２は前方に向かうにつれて除々に下降する形状に形成されている。したがって、正面から本体２を見た場合、前面部１２は後面部１３よりも低く、前方が広く開放された形状としている。
このように形成されることによって、本体上面部及び前面部が広く開放可能となり、収容された食品を広角度から見ることが可能となり、顧客に食品をアピールすることが可能となる。
また、前面部の高さを、食品よりも低くなるように形成した場合は、食品の上面部のみならず側面部をも、顧客が視認することが可能となる。
【００２３】
側面部１４について、前後の辺の上下方向における長さは、前面部１２と後面部１３との高さに合わせ、側面部１４の上辺は前方に向かうにつれて徐々に下降する形状に形成されている。
ここで、前方に向かって徐々に下降する形状とは、具体的には、側面部の上辺が、後方から前方に向かう凹円弧状の曲線に形成されることが考えられる。しかし、上辺の形状は凹円弧状の曲線に限定されるものではなく、後方から前方に向かう直線状であってもよく、凸円弧状の曲線であっても、階段状であってもよい。
このように形成されることによって、側面部が広く開放可能となり、食品の側面部分を顧客が視認することが可能となる。
【００２４】
蓋体３は図３に示すように、四角形状の上面部３１、該上面部３１の一片に設けた折目線６１を介して連続的に設けられた前面部３２、同じく上面部３１の左右に折目線６２・６２を介して連続的に設けられた側面部３３・３３から下方及び後方の二方を開放した略箱状に構成されている。前記前面部３２にも係合部が形成されており、前記前面部３２の下側の左右中央部には係合片４３が設けられ、前面部３２の左右には貼着片４１が折目線６３を介して連続的に設けられている。また、上面部３１の後側の左右中央部には係合片４２が折目線６４を介して連続的に設けられ、上面部３１の内側の中央には保持部５２が設けられている。
【００２５】
蓋体３を組み立てる時は、前面部３２と側面部３３を、折目線６１、折目線６２に沿って蓋体３の内側に向かって山折りし、貼着片４１と側面部３３の前部とを、接着剤等で貼着することにより形成される。
【００２６】
側面部３３の下辺は、側面部後方から側面部前方に向かって徐々に下降する形状に形成されている。
ここで、徐々に下降する形状とは、本実施例においては、側面部の下辺が側面部の後方から前方に向かって凸円弧状の曲線状に形成されており、蓋体３により本体２を閉じたときに、本体側の側面部１４と蓋体側の側面部３３により側面が閉じられるようにしている。
ただし、前記側面部の下辺の形状は、前記凸円弧状の曲線状に限定されるわけではなく、斜め前下方に下がる直線で形成されてもよく、また、側面部を四角形状や階段状等に形成することも可能である。
本体２の側面部１４は、食品の側面が見えるよう、前方に向かうにつれて徐々に下降する形状に形成され側面部が広く開放されているため、蓋体３の側面部３３は、蓋を閉じた場合に収容された食品が見えることが無いよう、少なくとも側面部１４の上辺を被覆するような形状に形成されることが必要である。
【００２７】
保持部５２は、紙、フェルト、織布、不織布、レーヨン、合成樹脂フィルム等のシート材から成り、該シート材を上面部３１の内側に貼着し、保持部５２の後係合部側に開放部を形成している。即ち、保持部５２のシートの四辺のうち少なくとも一辺を開放して形成している。
前記保持部５２と上面部３１の内側とには、隙間が生じるものであり、保冷剤、ろうそく、紙ナプキン等を保持することが可能となる。
ただし、保持部の構造は上記の形成に限定されるものではなく、袋状にしたシート材や箱状体等を上面部３１の内側に貼着する構成も可能である。
【００２８】
このように、蓋体３の後部と本体２の後部、及び、蓋体３の前部及び本体２の前部にそれぞれ係合部を構成したので、容易に組み立てられるとともに、容易に蓋体３を開けて分離することができる。つまり、紙箱１は、本体２に蓋体３を被せることにより構成されるが、簡単に閉じてその状態を保持できるように、図４に示すように、係合部となる本体２の係合孔２４に係合片４２を後側より挿入して係合させてから、蓋体３を前方に回動して、図１に示すように、係合部となる係合片４３を係合孔２３に挿入して係合することにより、本体２に蓋体３を被せて閉じるように構成し、逆の操作を行うことにより開けることが可能となる。
ただし、本体２と蓋体３との係合は上記の形成に限定されるものではない。
図５に示すように、本体２の前面部１２について、左右の辺のうち少なくともいずれか一方に係合孔２５を設け、蓋体３の前面部３２に前記係合孔２５に対応する位置に係合片５３を設け、係合孔２５に係合片５３を前方から挿入し、本体２と蓋体３とを係合することも可能である。
また、図６に示すように、本体２の後面部１３について、左右の辺のうち少なくともいずれか一方に係合孔２６を設け、蓋体３の上面部３１に連続的に設けられた後面部３４に前記係合孔２６に対応する係合片６３を設け、係合孔２６に係合片６３を後側から挿入して本体２と蓋体３とを係合することも可能である。
【００２９】
次に、紙箱の使用の形態について、以下説明する。
ここでは、本体２に、円柱状の菓子７０を収容し、保持部５２に保冷剤５１を保持した場合の使用状態について説明する。
【００３０】
本体２は図８に示すように、菓子７０を収容して蓋体３を取り外した状態でショーケース内等に展示をすることが可能となる。したがって、蓋体３により限られた展示スペースが阻まれることがなく、展示スペースを有効に活用して展示でき、展示の状態でショーケースなどから取り出し、蓋体３を被せて閉じるだけで顧客に販売することが可能となるのである。
【００３１】
本体２に菓子７０を収容した場合、本体２が前方に向かうにつれて徐々に下降する形状に形成され、前面部１２が後面部１３よりも低く形成されているため、図８に示すように食品の上面部及び前面部を広く展示することが可能となる。
また、前面部が菓子より低く形成されている場合、顧客は、菓子６０の上面部分のみならず側面部分をも視認することが可能となる。
したがって、本体２に菓子を収容した場合、より広い菓子の部位を顧客にアピールすることが可能となるのである。
また、前面部と後面部との高さが同じ紙箱の場合、収容された食品を顧客にアピールするには、図９に示すように、紙箱を斜めにし不安定な状態で展示をする方法が多く採られている。しかし、本発明の様に前面部を後面部よりも低く形成し、上面部、前面部、側面部を広く開放可能とすることにより、紙箱を斜めにすることなく安定した状態で広く食品を展示することが可能となる。
【００３２】
また、前記保持部５２の開放部（挿入部）を係合片４２側としておくことで、本体２に蓋体３を係合して閉じる場合、図７に示すように舌片１６及び係合片４２が折目線に沿って本体２の内側に山折りされるので、保持部５２の開口部を塞ぐことになる。
したがって、本体２と蓋体３とを係合すると同時に、保持部５２を閉封することが可能となり、容易かつ完全に保冷体５１を保持して、蓋体３を閉じることが可能となる。
また、このように保冷体５１を保持することにより、保冷体５１が紙箱１の運搬時の震動によって紙箱１内に飛び出すことはなく、収容された菓子７０を傷つけることなく菓子７０を運搬することが可能となる。
【図面の簡単な説明】
【００３３】
【図１】本発明の一実施例に係る紙箱１の全体的な構成を示した斜視図。
【図２】本体２の展開図。
【図３】蓋体３の展開図。
【図４】本体２と蓋体３とを係合する図。
【図５】本体２と蓋体３とを係合する図。
【図６】本体２と蓋体３とを係合する図。
【図７】紙箱１の断面図。
【図８】本体２に菓子を収容した図。
【図９】前面部と後面部が同じ高さである紙箱の展示状態の一実施例を示す図。
【符号の説明】
【００３４】
１    紙箱
２    本体
３    蓋体
１１    底面部
１２    前面部
１３    後面部
１４    側面部
１５    フリット
１６    舌部
２１・４２・４３・５３・６３    係合片
２２・２３・２４・２５・２６    係合孔
３１    上面部
３２    前面部
３３    側面部
３４    後面部
５１    保冷体
５２    保持部
７０    菓子
【図１】
2007223623.tif 000003
【図２】
2007223623.tif 000004
【図３】
2007223623.tif 000005
【図４】
2007223623.tif 000006
【図５】
2007223623.tif 000007
【図６】
2007223623.tif 000008
【図７】
2007223623.tif 000009
【図８】
2007223623.tif 000010
【図９】
2007223623.tif 000011